(57)【特許請求の範囲】
【請求項１】
ボビンが載置されるボビン受を有する下カセットと、下カセットのボビン受との間でボビンを挟持する押え羽根を有する上カセットとからなるカセットを溶着する溶着装置において、
カセットの下カセットと上カセットを載置する溶着受けジグと、
溶着受けジグに対向して配設され、上カセットの周縁部と下カセットの周縁部とを溶着受けジグとの間で溶着する溶着ホーンとを備え、
溶着受けジグは、下カセットを貫通して上方に延びて押え羽根を突上げる押上ピンを有することを特徴とするカセット用溶着装置。
【請求項２】
下カセットのボビン受近傍に開孔が形成され、押上ピンはこの開孔を貫通して上方に延びて押え羽根を突上げることを特徴とする請求項１記載のカセット用溶着装置。
【請求項３】
ボビンが載置されるボビン受を有する下カセットと、下カセットのボビン受との間でボビンを挟持する押え羽根を有する上カセットとからなるカセットと、
カセットの下カセットと上カセットを載置する溶着受けジグと、溶着受けジグに対向して配設され、上カセットの周縁部と下カセットの周縁部とを溶着受けジグとの間で溶着する溶着ホーンとを有し、溶着受けジグは、下カセットを貫通して上方に延びて押え羽根を突上げる押上ピンを有するカセット用溶着装置と、
を備えたことを特徴とするカセットと溶着装置との組合体。
【請求項４】
下カセットのボビン受近傍に開孔が形成され、
押上ピンはこの開孔を貫通して上方に延びて押え羽根を突上げることを特徴とする請求項３記載の組合体。
【発明の詳細な説明】
【０００１】
【発明の属する技術分野】
本発明はプリンタ等に用いられる転写シートを収納するカセットを、溶着により作製するためのカセット用溶着装置、およびカセットと溶着装置の組合体に関する。
【０００２】
【従来の技術】
従来よりプリンタ等に用いられる転写シート収納用のカセットとして、転写シートが巻付けられたボビンを載置するためのボビン受を有する下カセットと、下カセットのボビン受との間でボビンを挟持する上カセットとを備えたものが知られている。下カセットと上カセットは、溶着装置の溶着受けジグ上に載置され、下カセットと上カセットの周縁部が溶着受けジグと溶着ホーンとの間で溶着され、このようにしてカセットが作製される。
【０００３】
【発明が解決しようとする課題】
ところで、カセットの上カセット内には、下カセットのボビン受との間でボビンを挟持するための押え羽根が設けられている。溶着受けジグと溶着ホーンとの間で、下カセットと上カセットを溶着する際、この押え羽根がボビンに強く接触して押え羽根とボビンに接着傷が生じることがある。このように押え羽根とボビンに接着傷が生じると、ボビンがカセット内でスムースに回転できなくなり、カセットを使用する際支障が生じる。
【０００４】
本発明はこのような点を考慮してなされたものであり、下カセットと上カセットを溶着する際、押え羽根とボビンとを引離して、押え羽根とボビンに接着傷が生じることを防止することができるカセット用溶着装置およびその組合体を提供することを目的とする。
【０００５】
【課題を解決するための手段】
本発明は、ボビンが載置されるボビン受を有する下カセットと、下カセットのボビン受との間でボビンを挟持する押え羽根を有する上カセットとからなるカセットを溶着する溶着装置において、カセットの下カセットと上カセットを載置する溶着受けジグと、溶着受けジグに対向して配設され、上カセットの周縁部と下カセットの周縁部とを溶着受けジグとの間で溶着する溶着ホーンとを備え、溶着受けジグは、下カセットを貫通して上方に延びて押え羽根を突上げる押上ピンを有することを特徴とするカセット用溶着装置、および
ボビンが載置されるボビン受を有する下カセットと、下カセットのボビン受との間でボビンを挟持する押え羽根を有する上カセットとからなるカセットと、カセットの下カセットと上カセットを載置する溶着受けジグと、溶着受けジグに対向して配設され、上カセットの周縁部と下カセットの周縁部とを溶着受けジグとの間で溶着する溶着ホーンとを有し、溶着受けジグは、下カセットを貫通して上方に延びて押え羽根を突上げる押上ピンを有するカセット用溶着装置と、を備えたことを特徴とするカセットと溶着装置との組合体である。
【０００６】
本発明によれば、溶着受けジグと溶着ホーンとの間で、下カセットの周縁部と上カセットの周縁部とを溶着する場合、溶着受けジグの押上ピンが上カセットの押え羽根に当接して上方へ持上げる。このためボビンと押え羽根とが溶着時に接着固定してしまうことはない。
【０００７】
【発明の実施の形態】
以下、図面を参照して本発明の実施の形態について説明する。
【０００８】
図１乃至図３は本発明の一実施の形態を示す図であり、図４は比較例を示す図である。
【０００９】
まず、図１乃至図３により、ボビン収納用のカセット１０について説明する。カセット１０は転写シート巻出用のボビン３１と、転写シート巻取用のボビン３２とを収納するものであり、ボビン３１，３２間において図示しない転写シートが掛け渡される。この転写シートは、プリンタ等において用いられる。
【００１０】
すなわちカセット１０はボビン３１，３２が載置されるボビン受１１，１２を有する下カセット１０ａと、下カセット１０ａのボビン受１１，１２との間でボビン３１，３２を挟持する押え羽根１３，１４を有する上カセット１０ｂとからなっている。下カセット１０ａと上カセット１０ｂは、各々周縁部１５ａ，１５ｂを有し、この周縁部１５ａ，１５ｂは境界面Ｌにおいて互いに当接している。
そして境界面Ｌにおいて当接する下カセット１０ａの周縁部１５ａと上カセット１０ｂの周縁部１５ｂを後述する溶着装置２０により溶着することにより、カセット１０が作製される。
【００１１】
また溶着装置２０は、カセット１０を下カセット１０ａを下方にして載置する溶着受けジグ２１と、溶着受けジグ２１に対向して配置され、下カセット１０ａの周縁部１５ａと上カセット１０ｂの周縁部１５ｂを溶着受けジグ２１との間で溶着する溶着ホーン２２とを備えている。
【００１２】
また溶着受けジグ２１には、下カセット１０ａを貫通して上方に延びて押え羽根１３，１４を各々突上げる押上ピン２３，２４が設けられている。
【００１３】
すなわち、下カセット１０ａの押え羽根１３，１４は、図１に示すように下カセット１０ａの両端側から内方に向って延び、各々の先端１３ａ，１４ａは自由端となっている。また下カセット１０ａのボビン受１１，１２近傍には、開孔１７，１８が各々設けられ、溶着受けジグ２１の押上ピン２３，２４は開孔１７，１８を貫通して上方に延びている。そしてこの押上ピン２３，２４は、押え羽根１３，１４の先端１３ａ，１４ａ側に当接し、押え羽根１３，１４を先端１３ａ，１４ａ側において上方へ向って湾曲させるようになっている。
【００１４】
次にこのような構成からなる本実施の形態の作用について説明する。
【００１５】
まず下カセット１０ａ内のボビン受１１，１２に転写シートが巻付けられた巻出用ボビン３１と巻取用ボビン３２を載置し、次に下カセット１０ａ上に上カセット１０ｂを載せ、下カセット１０ａのボビン受１１，１２と上カセット１０ｂの押え羽根１３，１４との間でボビン３１，３２を挟持する。
【００１６】
次に下カセット１０ａと上カセット１０ｂとからなるカセット１０を、下カセット１０ａが下方にくるように溶着受けジグ２１上に載置し、同時に溶着受けジグ２１の押上ピン２３，２４を下カセット１０ａの開孔１７，１８を貫通させる。
【００１７】
次に下カセット１０ａの周縁部１５ａと上カセット１０ｂの周縁部１５ｂを、溶着受けジグ２１と溶着ホーン２２との間で溶着し、このようにして下カセット１０ａの周縁部１５ａと上カセット１０ｂの周縁部１５ｂが固着される。
【００１８】
この場合、溶着受けジグ２１の押上ピン２３，２４が上方へ延びて押え羽根１３，１４の先端１３ａ，１４ａを上方へ押上げる。このことにより押え羽根１３，１４が上方へ湾曲してボビン３１，３２から離れるので、溶着時に押え羽根１３，１４とボビン３１，３２とが接着して固定してしまうことはない。
【００１９】
すなわち、図４に示す比較例のように、溶着受けジグ２１と溶着ホーン２２との間で下カセット１０ａの周縁部１５ａと上カセット１０ｂの周縁部１５ｂとを溶着する際、押上ピンがないため押え羽根１３，１４とボビン３１，３２とが接触し、この押え羽根１３，１４とボビン３１，３２とが接着固定したり、あるいは接着傷２５が形成されてしまうことも考えられる。
【００２０】
しかしながら本願発明によれば、押上ピン２３，２４により溶着時の押え羽根１３，１４とボビン３１，３２との接着を防止することができる。
【００２１】
以上のように本実施の形態によれば、下カセット１０ａの周縁部１５ａと上カセット１０ｂの周縁部１５ｂとの溶着時にボビン３１，３２と押え羽根１３，１４とが接着固定してしまうことがなく、ボビン３１，３２および押え羽根１３，１４のいずれにも接着傷を残すことなく精度良くカセット１０を作製することができる。
【００２２】
【発明の効果】
以上のように本発明によれば、下カセットの周縁部と上カセットの周縁部とを溶着する際、下カセットに載置されたボビンと上カセットの押え羽根とが接着して固定してしまうことがない。このためボビンまたは押え羽根に接着傷を付けることなく、精度良くカセットを作製することができる。
【図面の簡単な説明】
【図１】本発明によるカセット溶着装置によりカセットを溶着する状態を示す断面図
【図２】カセット溶着装置とカセットを示す外観図
【図３】下カセットを示す平面図
【図４】カセット溶着装置によりカセットを溶着する比較例を示す図
【符号の説明】
１０  カセット
１０ａ  下カセット
１０ｂ  上カセット
１１，１２  ボビン受
１３，１４  押え羽根
１３ａ，１４ｂ  先端
１５ａ，１５ｂ  周縁部
２１  溶着受けジグ
２２  溶着ホーン
２３，２４  押上ピン
３１，３２  ボビン
【図１】
0004237903.tif 000002
【図２】
0004237903.tif 000003
【図３】
0004237903.tif 000004
【図４】
0004237903.tif 000005